(57)【要約】  洗剤（９，９´）の溶解特性を改善し、運転後に洗剤（９，９´）の残留塊が処理室（１２，１２´）に残るのを防止するために、本発明による水を使用する家庭用機器（１）は溶解室（１６，１６´´）を有しており、該溶解室は４つの側壁（１７，１７´´）と１つの室底面（１９，１９´´）を有しており、この室底面には少なくとも１つのスリット状の開口（１９．１）が設けられていて、この開口はスプレー装置（２４，２４´）の近傍の領域に配置されている。
2008525140.tif 000002
【特許請求の範囲】
【請求項１】
食器洗浄機（１）であって、スプレー装置（２４，２４′）と、洗剤（９，９′）を投入するために使用され、洗浄したいもののための保管コンテナ（１４，１４′）内に配置された溶解室（１６，１６″）とを備えており、該溶解室は、少なくとも１つの開口（１９．１）を有した室底面（１９，１９″）を有している形式のものにおいて、
溶解室が、保管コンテナ（１４，１４′）の液体噴流によって湿される面に組み込まれていることを特徴とする食器洗浄機。
【請求項２】
液体噴流が室底面（１９，１９′）に対して直角に進入する、請求項１記載の食器洗浄機。
【請求項３】
溶解室（１６，１６″）が、保管コンテナ（１４，１４′）の前方の側壁（２７′）に配置されている、請求項１又は２記載の食器洗浄機。
【請求項４】
溶解室（１６，１６″）が、保管コンテナ（１４，１４′）のフロント壁（２６，２６′）に配置されている、請求項１又は２記載の食器洗浄機。
【請求項５】
溶解室（１６，１６″）が保管コンテナ（１４，１４′）の真ん中に配置されている、請求項１又は２記載の食器洗浄機。
【請求項６】
スプレー装置（２４，２４′）が、少なくとも１つのスプレーノズル（２５，２５′）を備えた回転するスプレーアームとして形成されている、請求項１から５までのいずれか１項記載の食器洗浄機。
【請求項７】
スプレー装置（２４，２４′）がスプレー底面として形成されていて、スプレー管の少なくとも１つの出口が溶解室（１６，１６″）の下方に配置されている、請求項１から５までのいずれか１項記載の食器洗浄機。
【請求項８】
スプレー装置（２４，２４′）が、スプレーノズルまたはシャワーとして形成されている、請求項１から５までのいずれか１項記載の食器洗浄機。
【請求項９】
溶解室（１６，１６″）の室底面（１９，１９′）がスリット状の開口（１９．１）を有している、請求項１から８までのいずれか１項記載の食器洗浄機。
【請求項１０】
室底面（１９，１９′）のスリット状の開口（１９．１）が長手方向及び／又は横方向に配置されている、請求項１から９までのいずれか１項記載の食器洗浄機。
【請求項１１】
室底面（１９，１９′）が内側に向かって湾曲されて形成されている、請求項１から１０までのいずれか１項記載の食器洗浄機。
【請求項１２】
溶解室（１６，１６″）がカバー（２０，２０′、２０″）によって閉鎖可能である、請求項１から１１までのいずれか１項記載の食器洗浄機。
【請求項１３】
溶解室（１６，１６″）が、洗剤（９，９′）のための充填開口（２３，２３″）を、少なくとも１つの側壁（１７，１７′）及び／又はカバー（２０，２０′）に有している、請求項１から１２までのいずれか１項記載の食器洗浄機。
【請求項１４】
溶解室（１６，１６″）の少なくともカバー（２０，２０′）及び少なくとも１つの側壁（１７，１７′）が液体通過性である、請求項１から１３までのいずれか１項記載の食器洗浄機。
【発明の詳細な説明】
【技術分野】
【０００１】
本発明は、食器洗浄機であって、スプレー装置と、洗剤を投入するために使用され、洗浄したいもののための保管コンテナ内に配置された溶解室とを備えており、該溶解室は、少なくとも１つの開口を有した室底面を有している形式のものに関する。
【０００２】
ドイツ連邦共和国特許出願公開第３７２２６４８号明細書により、家庭用食器洗浄機における圧縮パウダの形の食器洗浄機用洗剤を収容するための装置が公知である。この公知の装置は、圧縮パウダ洗剤を、スプレー効果を損なうことなしに食器洗浄機内部に収容することができる。このことは、この装置が、少なくとも所定の領域で孔が設けられた側面及び／又は底面を有する、圧縮パウダ洗剤を収容する少なくとも１つの調量室を備えた食器洗浄機の内側に取り付けられた調量コンテナとして形成されていることにより可能である。
【０００３】
しかしながら欠点は、この調量コンテナには決まった場所がなく、スプレー装置から発するスプレー噴流が圧縮パウダ洗剤を不十分にしか湿さない、又は全く湿すことができないことも起こり得ることである。これにより十分な流体しか調量容器に進入しない。圧縮パウダ洗剤の溶解特性はこれにより不都合な影響を受けるので、完全には溶解されない。これにより洗浄効果が悪化するので、洗いたいものは運転後もきれいにならない。
【０００４】
さらには先行技術により、洗剤タブレット（錠剤）が洗浄過程前に食器かごに置かれ、全洗浄過程中で溶解することが公知である。
【０００５】
深刻な欠点がこれにより生じる。即ち、洗浄過程中に洗剤タブレットが不十分にしか溶解せず、洗浄過程後には不都合な塊が処理室に残ることである。さらに、洗剤タブレットが食器と接触し、これにより食器が傷つく恐れも排除できない。
【０００６】
本発明の課題は、冒頭で述べた形式の水を使用する家庭用機器において、溶解室の室底面を、洗浄過程後に溶解室に洗剤が残らず、洗浄したいものが運転後に無傷できれいになるように形成することである。
【０００７】
この課題を解決するために本発明の構成では、溶解室が、保管コンテナの液体噴流によって湿される面に組み込まれているようにした。
【０００８】
このような手段は特に、洗浄後に残留洗剤が、水を使用する家庭用機器に残ることがなく、従って、洗剤が完全に溶解されることを保証することを特徴とする。さらに、このような装置により、洗剤が液体噴流によって湿され、スプレーされ、完全に溶解されることが保証されている。さらにはこのような装置により、洗剤が洗いたいものと接触することが阻止されるので、洗いたいものに傷がつくようなことはない。
【０００９】
有利な構成によれば、液体噴流が室底面に対して直角に進入する。
【００１０】
これにより、液体噴流が洗剤を液体とともに吹き付けることが保証されている。同時に、液体噴流が溶解室の底面から処理室の側壁へと変向されることは、これにより使用者にとって耳障りな騒音が発生するので阻止される。
【００１１】
本発明の別の有利な構成によれば、溶解室が、保管コンテナの前方の側壁に配置されている。
【００１２】
このような配置により、使用者は溶解室に簡単にアクセスすることができる。さらには、付加的な工具は不要であるので、構造的な手間が極めて僅かである。
【００１３】
本発明の選択的な構成では、溶解室が、保管コンテナのフロント壁に配置されている。
【００１４】
この場合の利点は、例えば残飯が溜まってしまった場合にクリーニングするために、使用者が溶解室に簡単にアクセスできる配置にある。
【００１５】
本発明の別の選択的な構成では、溶解室が保管コンテナの真ん中に配置されている。
【００１６】
このような手段により、溶解室はスプレー装置によって効果的に液体を供給され、これにより洗剤は特に良好に溶解することができる。さらに、使用者は溶解室に簡単にアクセスすることできる。
【００１７】
本発明の別有利な構成によれば、スプレー装置が、少なくとも１つのスプレーノズルを備えた回転するスプレーアームとして形成されている。
【００１８】
このような手段により、溶解室と、溶解室に配置された洗剤とに十分な液体が供給されるという利点が得られる。
【００１９】
本発明の別の有利な構成によれば、スプレー装置がスプレー底面として形成されていて、スプレー管の少なくとも１つの出口が溶解室の下方に配置されている。
【００２０】
このような配置によれば、溶解室の場所とは無関係に、洗剤を溶かすために、溶解室内の洗剤に水を供給することができる。
【００２１】
本発明の別の選択的な構成では、スプレー装置が、スプレーノズルまたはシャワーとして形成されている。このような手段は特に、安価に実行できることを特徴とする。さらに、このような装置により洗剤は十分に加湿されるので、溶解することができる。
【００２２】
別の有利な構成によれば、溶解室の室底面がスリット状の開口を有している。
【００２３】
このような手段により、製造技術的な手間が極めて僅かであるという利点が得られる。さらには、スプレー装置から流出する液体噴流が、スリット状の開口から侵入し、洗剤を溶かすことができる。
【００２４】
本発明の別の有利な構成によれば、室底面のスリット状の開口が長手方向及び／又は横方向に配置されている。
【００２５】
この構成の利点は、洗剤がほぼ運転中に溶解されることにある。洗剤は開口を通って可溶化され、これにより洗剤の有効成分が、後のスプレー過程中に良好に噴霧溶液中で溶解することができる。
【００２６】
本発明の別の有利な構成によれば、室底面が内側に向かって湾曲されて形成されている。
【００２７】
有利にはこれにより、洗剤、特に粉状の洗剤が側壁に沿って溜まり、これにより粉状の洗剤がよりゆっくりと溶解するので、洗浄過程の遅い段階へも連行される。これにより、遅い時点でも、洗いたいものがきれいになることが保証される。
【００２８】
本発明の別の有利な構成によれば、溶解室がカバーによって閉鎖可能である。
【００２９】
このような手段により、洗剤が自動的に溶解室から落ちて、洗剤の残りが処理室に運転後に残されたままとなることが防止される。
【００３０】
本発明の別の有利な構成によれば、溶解室が、洗剤のための充填開口を、少なくとも１つの側壁及び／又はカバーに有している。
【００３１】
このような手段により、洗剤は極めて扱いやすく、溶解室の使用者によって供給されるという利点が得られる。さらにはこのような手段は極めて安価に構成することができる。
【００３２】
本発明の別の構成によれば、溶解室の少なくともカバー及び少なくとも１つの側壁が液体通過性である。
【００３３】
このような手段により、洗剤を溶かすために、溶解室に洗浄液を入れることができる。同様に、洗浄液がコンテナに溜まり、コンテナをいっぱいにし、これにより洗剤が溶解室から押し流されることが防止される。
【００３４】
次に図面につき本発明の実施例を詳しく説明する。
【００３５】
図１には、本発明による食器洗浄機１の第１実施例が示されている。この食器洗浄機１はドア２を備えており、このドア２は外側ドア３と内側ドア４とを有している。ドアパネル５にはプログラムセレクトボタン６が配置されており、このプログラムセレクトボタン６は、ドア２の内側に組み込まれた電気的な制御調整電子機器７に接続されている。制御調整電子機器７では、洗浄過程を実行するための様々なプログラムがメモリに入れられている。ドア２の内側には、制御調整電子機器７に接続された、ブロック状の洗剤９と仕上げ濯ぎ剤（図示せず）を収容するための洗剤ディスペンサ８が配置されている。しかし洗剤ディスペンサ８は、液状または粉状の洗剤を収容するためにも適している。閉鎖するための充填フラップ１１が設けられている室１０は、洗剤９を保管するために用いられ、後退されて内側ドア４内に配置されている。開放されたドア２からアクセス可能な処理室１２のインナライニング１３は特殊鋼から成形されていて、処理室１２のコンテナ側壁（図示せず）には２つのガイドレール（図示せず）が設けられており、このガイドレールには、保管コンテナ１４として形成された、洗浄したいもの（図示せず）を収容するための食器かごが保持されている。保管コンテナ１４の本体はプラスチック被覆されたメタルロッド１５を有している。保管コンテナ１４の本体内に組み込まれた溶解室１６は、格子１８を備えた側壁１７と、スリット状の複数の開口（図示せず）を備えた室底面１９とを有している。溶解室１６は、微細な網目状の格子を有するカバー２０によって開放可能であって、このカバー２０は、溶解室１６に配置された水平軸２１を中心として旋回可能に支承されている。カバー２０にはグリップ２２が配置されている。選択的にカバー２０はスライドカバーとして形成することもできる。側壁１７には、溶解室１６に洗剤を供給するための充填開口２３が配置されている。
【００３６】
スプレー装置２４として形成されたスプレーアームは、その上面及び下面に複数のスプレーノズル２５を有している。スプレー装置２４、特に回転するスプレーアームでは、溶解室１６が有利には、保管コンテナ１４の真ん中のフロント壁２６に配置されている。
【００３７】
図２には、図１の溶解室１６を備えた保管コンテナ１４′が示されている。保管コンテナ１４′の本体には、スプレーノズル２５′を備えた、スプレー底面として形成されたスプレー装置２４′が組み込まれている。選択的にスプレー底面は、保管コンテナ１４′の下側に配置されていても良い。
【００３８】
保管コンテナ１４′にはフロント壁２６′と側壁２７′とが設けられている。溶解室１６はフロント壁２６′に、保管コンテナの真ん中のそのために予め決められた場所に取り外し可能に保持されている。このために保管コンテナ１４′は、保管コンテナ１４′に向かう位置の方向で溶解室１６を配置することができるように、溶解室１６装着のための切欠２８′を有している。しかしながら選択的には、保管コンテナ１４′の側壁２７´に溶解室１６を配置することもできるが、この場合、溶解室１６の取付場所は位置決め手段によって保管コンテナ１４′に設定されている。
【００３９】
図３にはスプレー装置２１の上側に配置されている溶解室１６が詳しく示されている。溶解室１６は既に説明したように４つの室壁１７を有していて、これらの室壁１７は微細な網目状の格子１８として形成されている。選択的には室壁１７を粗い網目状の格子として形成することもできる。溶解室１６の室底面１９はスリット状の開口１９．１を有している。スリット状の開口１９．１は、流出する液体噴流の方向に対して縦方向に形成されている。スリット状の開口１９．１は選択的には、流出する液体噴流の方向に対して横方向に形成されていても良い。
【００４０】
図４には、方形状の平面図を有した第２の実施例による溶解室１６″が示されている。この溶解室１６″は、微細な網目状の格子１８″から成る４つの室壁１７″を有している。選択的には、微細な網目状の格子１８″の代わりに、単数又は複数の小さな開口を設けることもできる。同様に選択的には、洗剤をより迅速に溶解させるために粗い網目状の格子を使用することもできる。室底面１９″は図示されていないスリット状の開口を有している。溶解室の室底面１９″は方形の長辺に沿って室内部に向かって湾曲されているので、洗剤、特に粉状の洗剤は、室壁１７″と湾曲された室底面１９″との間の境界面にまで滑り落ちる。ここに洗剤は溜まり、堆積した小山を形成するので、溶解室１６″からすぐに押し流されることはない。これにより洗剤は洗浄過程中均一に分配することができる。室底面１９″の湾曲は、選択的には、方形の長辺に対して横方向に形成することもできる。さらには側壁１７″には、溶解室に洗剤を供給するために充填開口２３″が配置されている。室底面１９″とは反対側に、室カバーの外面には、溶解室１６″を操作するためのグリップ２２″を設けることができ、このグリップ２２″はこの実施例では室底面の湾曲部に沿って延びている。
【００４１】
洗剤９、特に洗剤タブレットは使用者によって溶解室１６に供給される。使用者はドア２を有した処理室１２を閉鎖し、プログラムセレクトボタン６で１つのプログラムを選択する。プログラムは主として、「予洗い、本洗い、濯ぎ、仕上げ濯ぎ、乾燥」のプログラムステップを有していて、制御調整電子機器７にメモリされている。室壁１７は微細な網目状の格子１８を有していて、室底面１９がスリット状の開口１９．１を有しており、大きなセグメントの洗剤９が濯がれるのは回避されているので、比較的大きな洗剤が溶解室１６から処理室１２に入ることはなく、洗浄したいものの上に落下することはない。さらには微細な網目状の格子１８は水が通過するように形成されているので、液体が溶解室１６に進入し、洗剤を溶解させることができる。
【００４２】
さらに、図４に示された室底面１９″の湾曲により、粉状の洗剤が側壁に貯まることが保証されている。従って、粉状の洗剤が、洗浄過程の早い段階で既に溶解室１６から流出してしまうのが防止される。
【図面の簡単な説明】
【００４３】
【図１】食器かごに溶解室を備えた食器洗浄機の部分的な側方図を部分的に断面して示した図である。
【図２】フロント側に配置された溶解室を有する、食器洗浄機の食器かごを部分的に示した平面図である。
【図３】溶解室を上方から見た斜視図である。
【図４】湾曲された室底面を有する溶解室を前方から見た図である。
【図１】
2008525140.tif 000003
【図２】
2008525140.tif 000004
【図３】
2008525140.tif 000005
【図４】
2008525140.tif 000006
【国際調査報告】
2008525140.tif 000007
2008525140.tif 000008
2008525140.tif 000009
2008525140.tif 000010
2008525140.tif 000011
2008525140.tif 000012